(57)【要約】【課題】      デジタルコンテンツの違法な配給に歯止めをかけることができ、デジタルコンテンツの違法な配給の検出を容易にし、デジタルコンテンツの違法な配給を行っている配給元を単純に探り当てることができる手段を提供する。【解決手段】  ユーザーは、クライアント端末（２０１）を用いて、掲示サーバー（２０６）経由で一つのデジタルコンテンツを注文する。掲示サーバー（２０６）は、そのユーザーの識別を識別サーバー（２０７）に要請する。電子透かしを埋め込む刻印サーバー（２１０）は、電子透かしを埋め込んだデジタルコンテンツを秘密鍵付きアルゴリズムで生成し、その電子透かしには少なくとも掲示サーバーによって入手した民事上の身元が組み込まれている。そのようにして電子透かしを埋め込んだデジタルコンテンツを、あるいはインターネット型のネットワーク経由で、あるいは物理的媒体経由でユーザーのところまで搬送する。【選択図】図２
2005057769.tif 000002
【特許請求の範囲】
【請求項１】
プライベートネットワークを管理している事業者に加入しているユーザーからの接続を、掲示サーバーが受け入れ、接続の際にクライアント端末を使用して、そのプライベートネットワーク経由で、デジタルコンテンツへのアクセスを提供する、サービス供与者の掲示サーバーに接続し、
ユーザーが、掲示サーバーによって提示されるものの中から、デジタルコンテンツを選ぶという手順からなるデジタルコンテンツの提供者のコンテンツサーバーから供給されるデジタルコンテンツの保護方法であり、
掲示サーバーは、識別サーバーからユーザーの恒久的な常用識別子と呼ばれる識別子を入手し、
恒久的な常用識別子は、プライベートネットワークを管理し、恒久的常用識別子を管理する事業者に、ユーザーの常用を恒久的に識別することを可能にし、
掲示サーバーは、ユーザーの恒久的常用識別子と、ユーザーが選んだデジタルコンテンツの識別子とを、電子透かしを埋め込む刻印サーバーに伝達し、
刻印サーバーが、選んだデジタルコンテンツに電子透かしを埋め込むことを特徴とする、デジタルコンテンツ保護方法。
【請求項２】
電子透かしを埋め込む刻印サーバーが、コンテンツサーバーから選ばれたデジタルコンテンツを入手し、
掲示サーバーが、伝達した電子透かしの情報と、選択し入手したデジタルコンテンツとを組み込んだ電子透かしを埋め込んだデジタルコンテンツを生成し、
電子透かし入りのデジタルコンテンツは、選択し入手したデジタルコンテンツのフォーマットのファイルであり、
電子透かしを埋め込む刻印サーバーは、電子透かしを埋め込んだデジタルコンテンツを、ユーザーに届けることを特徴とする請求項１に記載の方法。
【請求項３】
電子透かしを埋め込む情報に、デジタルコンテンツに関連する権利のデジタル管理情報が盛り込まれていることを特徴とする、請求項１または２に記載の方法。
【請求項４】
電子透かしを埋め込む情報に、デジタルコンテンツの使用制限の情報が盛り込まれていることを特徴とする、請求項１から３のいずれか一つに記載の方法。
【請求項５】
プライベートネットワークが、電話通信網であることを特徴とする、請求項１から４のいずれか一つに記載の方法。
【請求項６】
ユーザーの恒久的常用識別子が、電話番号であることを特徴とする、請求項１から５のいずれか一つに記載の方法。
【請求項７】
電子透かしを埋め込む刻印サーバーが、プライベートネットワークを管理する事業者によって管理されることを特徴とする、請求項１から６のいずれか一つに記載の方法。
【請求項８】
電子透かしを埋め込む刻印サーバーが、デジタルコンテンツの供給者によって管理されることを特徴とする、請求項１から６のいずれか一つに記載の方法。
【請求項９】
掲示サーバーが、デジタルコンテンツの供給者によって管理されることを特徴とする、請求項１から８のいずれか一つに記載の方法。
【請求項１０】
掲示サーバーが、ユーザーの恒久的常用識別子を入手するには、識別サーバーの承認を受けることが条件であり、
その承認は、識別要請の発信者の識別子に応じて、あるいは、要請の発信者の認証に応じて行われるものであることを特徴とする、請求項１から９のいずれか一つに記載の方法。
【請求項１１】
掲示サーバー、識別サーバー、電子透かしを埋め込む刻印サーバー、コンテンツサーバーの間のやり取りと接続は、当事者の相互認証、不備のないことを検査する仕組み、やり取りの秘密の保護を確保する仕組み、そのやり取りから一方的に離脱しないことを保証する仕組みによって保護されることが可能であり、
これらの仕組みが、暗号手段と暗号に関する取り決めを活用するものであることを特徴とする、請求項１から１０のいずれか一つに記載の方法。
【請求項１２】
デジタルコンテンツの供給者のコンテンツサーバーにより供給されるデジタルコンテンツを保護する装置であり、
該装置は、プライベートネットワークを介した掲示サーバーと接続するのに適したクライアント端末を備え、
掲示サーバーは、クライアント端末のユーザーにデジタルコンテンツを提示することに適しており、
掲示サーバーは、識別サーバーからユーザーの恒久的常用識別子を入手することに適しており、
恒久的常用識別子は、プライベートネットワークを管理し、ユーザーの恒久的常用識別子を供給する事業者に、ユーザーを常用的に識別することを可能にし、
識別サーバーは、識別要請の発信者に応じて恒久的常用識別子の発行を許可あるいは不許可にすることに適しており、
掲示サーバーは、電子透かしを埋め込む刻印サーバーに、恒久的常用識別子とデジタルコンテンツの識別子を伝達することによって、電子透かしを埋め込む刻印サーバーが電子透かしを埋め込んだデジタルコンテンツを生成することに適しており、
電子透かしを埋め込む刻印サーバーは、デジタルコンテンツサーバーの傍らで電子透かしを埋め込むことになるデジタルコンテンツを入手することに適しており、
電子透かしを埋め込む刻印サーバーは、電子透かしを埋め込んだデジタルコンテンツを発行することに適していることを特徴とする、デジタルコンテンツ保護装置。
【発明の詳細な説明】
【技術分野】
【０００１】
本発明は、デジタルコンテンツ保護方法と、その保護装置を対象とするものである。
【背景技術】
【０００２】
デジタルコンテンツとは、少なくとも書き込み可能メモリー、読み出し専用メモリー、ＣＤ−ＲＯＭ、ＤＶＤ、フレキシブルディスクのいずれか、そして、それらに限らず、その他の何らかの媒体に記録可能なビットの連続である。
それゆえ、デジタルコンテンツは、音楽ファイル、画像ファイル、ビデオ・ファイル、プログラム・ファイル、そして、ここでもまたそれらに限らず、その他のものによって構成されるもの全体の一部になるものである。
それゆえ、本発明の分野は、デジタルコンテンツ配給の分野であり、それは、配給媒体が何であるかを問わず、また特に、配給がオン・ラインで行われるか、あるいは、物理的な媒体であるかを問わない。
【０００３】
現行技術水準においても、デジタルコンテンツを保護する技術として様々なものが知られている。
そのような技術の一例は、要するに、デジタルコンテンツへのアクセスに鍵を掛けることであり、そのために用いる権利者独自の符号が復号化ソフトにつながっているのであるが、復号化ソフト自体がパスワードで鍵が掛かっている。
そのような技術の他のものとしては、デジタルコンテンツを例えばＣＤのような一つの媒体に固定するというものであるが、それは既に幾つかの音楽作品で行われている。
その場合、そのようなＣＤは、パソコンのような、内容を複製することのできるような機器では、理論的には、読み取れない。
現行の保護技術では日々、それぞれの限界が明らかになっている。
暗号化され、または保護されたデジタルコンテンツに自分の媒体でアクセスできるアルゴリズムを、例えばインターネット経由で使いこなせる人が常にいるというのが実情である。
デジタルコンテンツの権利を有する人々がそのような権利を保護するために同意した折角の努力が、そのようなことによって台無しになっている。
【０００４】
現行の保護技術を適用することは、そのような保護のおかげで、読み込むことのできない媒体が多数存在するというような極めて残念な結果を招きかねない。
そのような場合には、デジタルコンテンツの権利を合法的に取得した利用者が、所有する読み取り機器が適合していないばかりに、デジタルコンテンツにアクセスできないということになりかねない。
これは、音響ＣＤについては益々頻繁に起きている。
事実、音響ＣＤで、新製品掲示会の機器には適合しなくなってしまったものも幾つかある。
そのようにして生じた効果が、望ましい効果とは全く相反するものであるのは、利用者の信頼は瞬く間に崩壊していくものだからである。
実際、利用者は、一つのデジタルコンテンツを保護する技術の一つ一つについて、それ専用の機器を買いたいなどとは思っていない。
そのようにして生じた効果は、保護が長く耐えるものでなく、デジタルコンテンツも結局は盗み取られてしまうだけになおのことたちが悪い。
【特許文献１】特開２００４−４６７９０号公報
【発明の開示】
【発明が解決しようとする課題】
【０００５】
本発明の一つの目的は、デジタルコンテンツの違法な配給に歯止めをかけることである。
【０００６】
本発明のもう一つの目的は、これらのデジタルコンテンツの利用者にとってあまり拘束力をもたない、違法な配給の方法に歯止めをかけることである。
【０００７】
本発明のもう一つの目的は、デジタルコンテンツの違法な配給の検出を容易にすることにある。
【０００８】
本発明のもう一つの目的は、デジタルコンテンツの違法な配給を行っている配給元を単純に探り当てることができるようにすることである。
【課題を解決するための手段】
【０００９】
本発明においては、そのような問題を、それぞれのフォーマットを変質させることなく、問題のフォーマットを読み取ることを公認された機器すべてとの本来の適合性を損なうことなく、デジタルコンテンツのカスタマイズを行うことにより解決する。
このカスタマイズは、適切な手段を用いずには察知不能の刻印を施すことによって行うのであり、その刻印は、そのデジタルコンテンツのフォーマットを尊重するものなので、その刻印で読み取り機器及び読み取りプログラムに支障が生じることはない。
このような刻印は、電子透かしとも呼ばれるが、業界の人には「Ｗａｔｅｒｍａｒｋｉｎｇ」という名称でも知られている技術である。
本発明では、デジタルコンテンツに電子透かしを施すことにつき、少なくともデジタルコンテンツを合法的に取得した人の識別子を付けることで、電子透かしのカスタマイズを行う。
電子透かしは、秘密鍵付きのアルゴリズムに基づいて行われるが、それにより、電子透かしは堅牢なもの、つまりは消去しにくいものとなる。
秘密鍵は、デジタルコンテンツを配給することを許可された有資格者にのみ知られている。
そのような有資格者は、あるデジタルコンテンツを受信すると、それが誰に宛てて配給されたものかを判定でき、ひいては、そのデジタルコンテンツが不適法に、例えば第三者から第三者へのネットワーク上で用いられたかどうかを判定できる（そのようなネットワークは、ピア・ツー・ピアまたはＰ２Ｐネットワークという名称でも知られている）。
この電子透かしを埋め込むのは、そのデジタルコンテンツの注文の時点である。
そのデジタルコンテンツを注文する人は、その場合、自分がどのような責任を負っているかを直視させられ、自分がたった今取得したばかりのデジタルコンテンツを不正に使用しているかどうか、あるいは、そのような横領行為を防ぐ必要最低限の保護をすり抜けようとしていないかどうかを見つけ出すことは容易だということを承知させられることになる。
【００１０】
行為を相互に認証し、秘密を保護し、行為に不備がなく、しかも行為から一方的に離脱しないサービスを提供する暗号技術を、電子透かし入りコンテンツの供給に必要な交換を行う際に用い、それにより、電子透かしを埋め込む行為の質を確保し、そして法的な面で不正行為が効率的に行われることに対する対抗手段を取るようにすることが可能である。
【００１１】
それゆえ、本発明が対象とする、デジタルコンテンツの提供者からコンテンツサーバー経由で供給されるデジタルコンテンツの保護方法は、
・プライベートネットワークを管理している事業者に加入しているユーザーからの接続を、掲示サーバーが受け入れ、接続の際にクライアント端末を使用して、そして少なくともプライベートネットワーク経由で、デジタルコンテンツへのアクセスを提供するサービス供与者の掲示サーバーに接続し、
・ユーザーが、掲示サーバーが提示するものの中からデジタルコンテンツを選ぶ、という手順からなるものであり、
・掲示サーバーは、識別サーバーから、ユーザーの恒久的な常用識別子と呼ばれる識別子を入手し、恒久的常用識別子は、プライベートネットワークを管理し、前記恒久的常用識別子を管理する事業者に、ユーザーの常用を恒久的に識別することを可能にし、
・掲示サーバーは、少なくともユーザーの恒久的常用識別子とユーザーが選んだデジタルコンテンツの識別子とを、電子透かしを埋め込む刻印サーバーに伝達し、選んだデジタルコンテンツに電子透かしを埋め込む、ということを特徴としている。
【００１２】
好適には本発明は、
・電子透かしを埋め込む刻印サーバーが、コンテンツサーバーから選ばれたデジタルコンテンツを入手し、その掲示サーバーが伝達した電子透かしの情報と、選択し入手したデジタルコンテンツとを組み込んだ電子透かしを埋め込んだデジタルコンテンツを生成し、その電子透かしを埋め込んだデジタルコンテンツは、選択し入手したデジタルコンテンツのフォーマットのファイルであり、
・電子透かしを埋め込む刻印サーバーが電子透かしを埋め込んだデジタルコンテンツをユーザーに届ける、ということを特徴とするものでもある。
【００１３】
好適には本発明は、電子透かしを埋め込む情報にデジタルコンテンツに関連する権利のデジタル管理情報が盛り込まれていることを特徴とするものでもある。
【００１４】
好適には本発明は、電子透かしを埋め込む情報に、デジタルコンテンツの使用制限の情報が盛り込まれていることを特徴とするものでもある。
【００１５】
好適には本発明は、プライベートネットワークが、電話通信網であることを特徴とするものでもある。
【００１６】
好適には本発明は、ユーザーの恒久的常用識別子の全てまたは一部が、電話番号であることを特徴とするものでもある。
【００１７】
好適には本発明は、電子透かしを埋め込む刻印サーバーがプライベートネットワークを管理する事業者によって管理されることを特徴とするものでもある。
【００１８】
好適には本発明は、その電子透かしを埋め込む刻印サーバーを管理するのがそのデジタルコンテンツの供給者であることを特徴とするものでもある。
【００１９】
好適には本発明は、掲示サーバーが、ユーザーの恒久的常用識別子を入手するには、識別サーバーの承認を受けることが条件であり、その承認は、識別要請の発信者の識別子に応じて、あるいは、その要請の発信者の認証に応じて行われるものであることを特徴とするものでもある。
【００２０】
好適には、掲示サーバー、識別サーバー、電子透かしを埋め込む刻印サーバー、コンテンツサーバー間のやり取りと接続は、当事者の相互認証、不備のないことを検査する仕組み、やり取りの秘密の保護を確保する仕組み、やり取りから一方的に離脱しないことを保証する仕組みによって保護され、これらの仕組みは暗号手段と暗号に関する取り決めを活用するものである。
【００２１】
本発明はまた、デジタルコンテンツの供給者のコンテンツサーバーにより供給されるデジタルコンテンツを保護する装置をも対象とするものであり、その特徴は、
少なくとも一つのプライベートネットワークを介した掲示サーバーと接続するのに適したクライアント端末を備え、掲示サーバーは、クライアント端末のユーザーにデジタルコンテンツを提示することに適しており、掲示サーバーはさらに、識別サーバーからユーザーの恒久的常用識別子を入手することに最も適しており、
恒久的常用識別子は、プライベートネットワークを管理し、ユーザーの恒久的常用識別子を供給した事業者は、ユーザーを常用的に識別することを可能にし、識別サーバーは、識別要請の発信者に応じて、恒久的常用識別子の発行を許可あるいは不許可にすることに適しており、掲示サーバーはまた、電子透かしを埋め込む刻印サーバーに恒久的常用識別子とデジタルコンテンツの識別子を伝達することによって、電子透かしを埋め込む刻印サーバーが電子透かしを埋め込んだデジタルコンテンツを生成することに適しており、電子透かしを埋め込む刻印サーバーは、デジタルコンテンツサーバーの傍らで電子透かしを埋め込むことになるデジタルコンテンツを入手することに適しており、電子透かしを埋め込む刻印サーバーはまた、電子透かしを埋め込んだデジタルコンテンツを発行することに適していることを特徴としている。
【００２２】
すなわち、本発明の課題を解決するための手段は、次のとおりである。
【００２３】
第１に、プライベートネットワーク（２０３）を管理している事業者に加入しているユーザーからの接続を、掲示サーバー（２０６）が受け入れ（１０１）、接続の際にクライアント端末（２０１）を使用して、そして少なくともそのプライベートネットワーク経由で、デジタルコンテンツへのアクセスを提供する、サービス供与者の掲示サーバーに接続し、
ユーザーが、掲示サーバーによって提示されるものの中から、デジタルコンテンツを選ぶ（１０２）という手順からなるデジタルコンテンツの提供者のコンテンツサーバー（２１３）から供給されるデジタルコンテンツの保護方法であり、
掲示サーバーは、識別サーバー（２０７）からユーザーの恒久的な常用識別子と呼ばれる識別子を入手し（１０３）、
恒久的な常用識別子は、プライベートネットワークを管理し、恒久的常用識別子を管理する事業者に、ユーザーの常用を恒久的に識別することを可能にし、
掲示サーバーは、少なくともユーザーの恒久的常用識別子と、ユーザーが選んだデジタルコンテンツの識別子とを、電子透かしを埋め込む刻印サーバーに伝達し（１０４）、
刻印サーバーが、選んだデジタルコンテンツに電子透かしを埋め込むことを特徴とするデジタルコンテンツ保護方法。
第２に、電子透かしを埋め込む刻印サーバーが、コンテンツサーバーから選ばれたデジタルコンテンツを入手し（１０５）、
掲示サーバーが、伝達した電子透かしの情報と、選択し入手したデジタルコンテンツとを組み込んだ電子透かしを埋め込んだデジタルコンテンツを生成し、
電子透かし入りのデジタルコンテンツは、選択し入手したデジタルコンテンツのフォーマットのファイルであり、
電子透かしを埋め込む刻印サーバーは、電子透かしを埋め込んだデジタルコンテンツを、ユーザーに届ける（１０６）、ことを特徴とする前記第１に記載の方法。
第３に、電子透かしを埋め込む情報に、デジタルコンテンツに関連する権利のデジタル管理情報（５０６）が盛り込まれていることを特徴とする、前記第１または第２に記載の方法。
第４に、電子透かしを埋め込む情報に、デジタルコンテンツの使用制限の情報（５０６）が盛り込まれていることを特徴とする、前記第１から第３のいずれか一つに記載の方法。
第５に、プライベートネットワーク（２０３）が、電話通信網であることを特徴とする、前記第１から第４のいずれか一つに記載の方法。
第６に、ユーザーの恒久的常用識別子の全てまたは一部が、電話番号であることを特徴とする、前記第１から第５のいずれか一つに記載の方法。
第７に、電子透かしを埋め込む刻印サーバーが、プライベートネットワークを管理する事業者によって管理されることを特徴とする、前記第１から第６のいずれか一つに記載の方法。
第８に、電子透かしを埋め込む刻印サーバーが、デジタルコンテンツの供給者によって管理されることを特徴とする、前記第１から第６のいずれか一つに記載の方法。
第９に、掲示サーバーが、デジタルコンテンツの供給者によって管理されることを特徴とする、前記第１から第８のいずれか一つに記載の方法。
第１０に、掲示サーバーが、ユーザーの恒久的常用識別子を入手するには、識別サーバーの承認を受けることが条件であり、
その承認は、識別要請の発信者の識別子に応じて、あるいは、要請の発信者の認証に応じて行われるものであることを特徴とする、前記第１から第９のいずれか一つに記載の方法。
第１１に、掲示サーバー（２０６）、識別サーバー（２０７）、電子透かしを埋め込む刻印サーバー（２１０）、コンテンツサーバー（２１３）の間のやり取りと接続（２０５）は、当事者の相互認証、不備のないことを検査する仕組み、やり取りの秘密の保護を確保する仕組み、そのやり取りから一方的に離脱しないことを保証する仕組みによって保護されることが可能であり、
これらの仕組みが、暗号手段と暗号に関する取り決めを活用するものであることを特徴とする、前記第１から第１０のいずれか一つに記載の方法。
第１２に、デジタルコンテンツの供給者のコンテンツサーバー（２１３）により供給されるデジタルコンテンツを保護する装置であり、
該装置は、少なくとも一つのプライベートネットワーク（２０３）を介した掲示サーバー（２０６）と接続するのに適したクライアント端末（２０１）を備え、
掲示サーバー（２０６）は、クライアント端末（２０１）のユーザーにデジタルコンテンツを提示することに適しており、
掲示サーバーは、さらに、識別サーバー（２０７）からユーザーの恒久的常用識別子を入手することに最も適しており、
恒久的常用識別子は、プライベートネットワークを管理し、前記ユーザーの恒久的常用識別子を供給する事業者にユーザーを常用的に識別することを可能にし、
識別サーバーは、識別要請の発信者に応じて恒久的常用識別子の発行を許可あるいは不許可にすることに適しており、
掲示サーバーは、また、電子透かしを埋め込む刻印サーバー（２１０）に恒久的常用識別子とデジタルコンテンツの識別子を伝達することによって、電子透かしを埋め込む刻印サーバーが電子透かしを埋め込んだデジタルコンテンツを生成することに適しており、
電子透かしを埋め込む刻印サーバーは、デジタルコンテンツサーバー（２１３）の傍らで電子透かしを埋め込むことになるデジタルコンテンツを入手することに適しており、
電子透かしを埋め込む刻印サーバーは、また、電子透かしを埋め込んだデジタルコンテンツを発行することに適していることを特徴とするデジタルコンテンツ保護装置。
【発明の効果】
【００２４】
本発明によれば、デジタルコンテンツの違法な配給に歯止めをかけることができ、デジタルコンテンツの違法な配給の検出を容易にし、デジタルコンテンツの違法な配給を行っている配給元を単純に探り当てることができる。
【発明を実施するための最良の形態】
【００２５】
以下に、本発明の実施の形態を、添付の図面を参照しながら説明する。
なお、これら図面は例示的なものであり、本発明を制限する趣旨のものではない。
【００２６】
図１は、本発明の方法の手順を示す図である。
図２は、本発明の方法が活用されるネットワークの構成を示す図である。
図３は、識別要請の記入欄を示す図である。
図４は、識別要請に対する応答の記入欄を示す図である。
図５は、電子透かしを埋め込むメッセージの記入欄を示す図である。
【００２７】
以下の説明において、サーバーというのは、コンピューターと同じ意味である。
サーバーあるいは、一般的に機器に行為を割り当てる場合には、行為を実行するマイクロプロセッサーは、サーバーのものであり、それを制御する指示コードもサーバーのものである。
サーバーには、それを、インターネット、イーサーネットあるいはその他のタイプの一つまたは複数のネットワークにつなぐのに必要な手段が全て備わっている。
【００２８】
図１は、クライアント端末のユーザーが、掲示サーバーとの接続を確立する手順を示している。
【００２９】
図２は、プライベートネットワーク２０３に無線接続であるヘルツ結合２０２で接続されているクライアント端末２０１を示している。
一例においては、クライアント端末２０１は、ＧＰＲＳ方式の携帯電話網の事業者のプライベートネットワーク２０３に接続された携帯電話である。
プライベートな、もしくは閉鎖的なネットワークについて論じているのは、技術的な理由であれ、あるいは商業的な理由であれ、ネットワークに進入できるのは、ネットワーク２０３を管理する事業者だけだからである。
【００３０】
特に、そのプライベートネットワーク２０３をインフラストラクチャーの面で、プロトコールの面で、そしてアクセスする権利の面で活用するのは、そのプライベートネットワーク２０３を管理する事業者による。
それとは逆に、例えばインターネットのような好適な、あるいは開放的なパブリックネットワーク２０４では、プロトコールとアクセスモードは、誰もがみんな知っていて、自由に利用できる。
【００３１】
図２の示すところによると、プライベートネットワーク２０３とパブリックネットワーク２０４とは、接続経路２０５を介して相互接続されている。
接続経路２０５を介する接続は、プライベートネットワーク２０３の事業者が管理するリンクにより実現される。
そのようなリンクは、プライベートネットワーク２０３の事業者のパブリックネットワーク２０４に対する方針を活用するものである。
この方針は、プライベートネットワーク２０３に入るのとそこから出るのとの両方に関するものである。
簡単に言うと、この方針は要するに、様々な基準に従ってこれらの接続を許可するか拒絶するかということであり、様々な基準というのは、接続に参加する人達の身元、接続の性質、接続に関係するデータの量などであるが、それで全てというわけでもなく、それ以外のものもある。
【００３２】
図２には、またパブリックネットワーク２０４に接続された掲示サーバー２０６も示されている。
そのような掲示サーバー２０６は、ウエブ・サーバーあるいはｈｔｔｐサーバーという名称でも知られている。
このようなサーバーにより、ウエブサイトという名称でも知られているインターネットサイトの収容を行うことができる。
一つのインターネットサイトは、ウエブ・ページとも呼ばれるページを少なくとも一つ有している。
各ウエブページには、他のウエブページまたは他のデジタルコンテンツに向かうリンクがある。
ウエブページは、デジタルコンテンツである。
【００３３】
手順１０１で、ターミナルのユーザーは、掲示サーバー２０６との接続を確立する。
この接続の確立は、プライベートネットワーク２０３とパブリックネットワーク２０４とを介して行われる。
接続を確立する際に、クライアント端末２０１で実行されるインターネットナビゲータータイプのプログラムは、インターネットエクスプローラーとも呼ばれる。
実際には、クライアント端末２０１のユーザーが接続するウエブサイトのホストサーバーになっているのが掲示サーバー２０６である。
このウエブサイトにより、多くのデジタルコンテンツ、例えば配給用に使える楽曲、映画、プログラム等をクライアント端末２０１のユーザーに提示することが可能になる。
ここで、本発明をｈｔｔｐ接続においてどう活用するかを説明する。
【００３４】
実際には、本発明はあらゆるタイプのプロトコールに対応しているのであるが、その中でもｆｔｐ（ｆｉｌｅ  ｔｒａｎｓｆｅｒ  ｐｒｏｔｏｃｏｌ）、ｗｔｐ（ｗｉｒｅｌｅｓｓ  ｔｒａｎｓｆｅｒ  ｐｒｏｔｏｃｏｌ）などが挙げられるが、勿論、それで全てというわけではない。
実際には本発明を、接続していないプロトコール、または非同期性のプログラムに基づいて用いてもよい。
例えば、ｓｍｔｐ（Ｓｉｍｐｌｅ  Ｍａｉｌ  Ｔｒａｎｓｆｅｒ  Ｐｒｏｔｏｃｏｌ）を一例として挙げられるような多量のメッセージ類を用いたり、あるいは、プライベートネットワーク２０３が提供するサービス（携帯電話網の一貫としてのＳＭＳサービスやＭＭＳサービス）を用いてもよい。
【００３５】
このような変形例においては、掲示サーバー２０６の提供を、直接ＳＭＳとＭＭＳの供給者が行うことができる。
【００３６】
ここで忘れてはならないのは、クライアント端末２０１は、携帯電話端末とは限らないことである。
実際、クライアント端末２０１は、パソコンでも、あるいはウエブサーバータイプのサーバーに接続できる装置ならどんなものでもよい。
プライベートネットワーク２０３は、一般的にはインターネットへのアクセスを供給するプライベートなネットワークである。
【００３７】
手順１０１から手順１０２に移ることで、デジタルコンテンツを選択する。
この選択は、クライアント端末２０１のユーザーが、掲示サーバー２０６がホストサーバーとなっているウエブサイトを探索している際に行われる。
このような選択は、インターネットでの仮想商店での買い物を有効なものとしていた従来のやり方に相当する行為である。
クライアント端末２０１のユーザーが実行したその選択の確認を、掲示サーバー２０６が取得した時点で手順１０２は終了する。
その選択の確認は、クライアント端末２０１のユーザーの側から掲示を行うウエブ・サイトのページを経由して有効と認める行為に対応するものである。
この確認により、クライアント端末２０１のユーザーは、掲示サーバー２０６に対して、どのようなデジタルコンテンツを得たいと希望しているかを示すことができる。
一つの変形活用例においては、そのユーザーは、例えば、Ｅメールアドレス、電話番号または物理的な媒体が必要な場合には配達先の住所を介して、選んだコンテンツの発送様式についての情報を与えることができる。
実際には、掲示サーバー２０６のメモリーにより、提示されたデジタルコンテンツのそれぞれにデジタルコンテンツの識別子を結合させることができる。
ここで、一つのデジタルコンテンツを選択すると、同時に、選択したデジタルコンテンツに関連づけられた識別子を選択することができる。
【００３８】
そこで、手順１０２から手順１０３に移って、掲示サーバー２０６により、クライアント端末２０１のユーザーの識別子を入手する。
この識別子は、ここでは恒久的常用識別子と呼ぶ。
この恒久的常用識別子は、一人の人を数年の間、更には数十年の間、常用的に識別することのできる識別子である。
一般的には、この識別子は、そのデジタルコンテンツに付属した知的財産権の存続期間に直接に関係する。
【００３９】
恒久的常用識別子を入手する第一の変形例においては、掲示サーバー２０６が識別申請のリクエストを生成する。
【００４０】
掲示サーバー２０６が、識別申請のリクエストを、識別サーバー２０７に向けて発信する。
識別サーバー２０７は、プライベートネットワーク２０３に、あるいはパブリックネットワーク２０４に直接的に接続されている。
掲示サーバー２０６は、識別サーバー２０７のアドレスを保存することができる識別サーバーアドレス保存メモリー２０８を有している。
この識別サーバーアドレス保存メモリー２０８は、手順１０１と手順１０２に際し、掲示サーバー２０６の配置を調べ、あるいは掲示サーバー２０６とクライアント端末２０１の間で交換されるメッセージのフィールドの内容を介して調べるのに用いられる。
【００４１】
実際上は、プライベートネットワーク２０３を管理する事業者は一つしかないのであるが、各事業者は、接続経路２０５を通してパブリックネットワーク２０４に接続する際に、一定の幅のＩＰ（インターネットプロトコール、ＩＰプロトコールというのはＩＰｖ４とＩＰｖ６のこと）アドレスを割り当てられることになる。
それゆえ、ユーザーがパブリックネットワーク２０４で通信するためにどのようなＩＰアドレスを使っているかに応じて、ユーザーが加入している事業者が分かる。
パブリックネットワーク２０４内部で用いられるプロトコールに従えば、そのユーザーがどの事業者に加入しているかを、掲示サーバー（ＤＮＳ：Ｄｏｍａｉｎ  Ｎａｍｅ  Ｓｙｓｔｅｍ）にアクセスする際に用いられるｕｒｌや呼び名に応じて、容易に識別できる。
それゆえ、掲示サーバー２０６は、実際上は、（手順１０１の）入る方の接続のそれぞれに識別サーバー２０７のアドレスを関連づける能力がある。
それゆえ、掲示サーバー２０６は、デジタルコンテンツを選択したユーザーに提示されたＩＰアドレスに応じて識別要請を、どの識別サーバー２０７に送るべきかを判定する能力がある。
その目的のために、ある変形例では、識別サーバーアドレス保存メモリー２０８は、複数の行に分割されていて、各行が一つのＩＰアドレス帯域に対応している。
各行には二つの列があり、第一の列は一つのＩＰアドレス帯域を記載するためのものであり、第二の列は識別サーバーのＩＰアドレスを帯域の記載に関連づけるためのものである。
【００４２】
識別申請のリクエストには、インターネットアドレス、あるいは手順１０１と手順１０２でシステムによって生成されたユーザーのなんらかの識別子もついている。
図３に、識別申請リクエスト３００が示されている。
その識別申請リクエスト３００に少なくとも、
・識別サーバー２０７のアドレス、識別サーバーアドレス保存メモリー２０８で読み込まれるアドレスのついた、宛先欄３０１と、
・ユーザーが掲示サーバー２０６に提示する識別子のついているユーザー識別欄３０２と、
・リクエストを受け取るサーバーに、それが識別申請リクエストであることを示す任意選択欄３０３と、
・一つの変形例によれば、識別サーバー２０７による認証が必要な場合には、暗号化された情報を電子署名によって完全なものとすることができる、識別申請を発信する掲示サーバー２０６の識別番号、一般的にＩＰアドレスを有した発信欄３０４とを有している。
識別申請リクエスト３００は、生成されるとすぐにサーバーの宛て先に発信される。
【００４３】
識別サーバー２０７が検証するのは、
１．識別申請リクエスト３００の発信欄３０４が、識別申請を実行することを許可されたサーバーに確かに対応しているかということと、
２．ユーザー識別欄３０２が、加入者に確かに対応しているかということである。
【００４４】
ここでの加入者というのは、プライベートネットワーク２０３を管理する事業者に加入していて、識別機能を識別サーバー２０７に託した者である。
識別申請リクエストが、そのような二つの検証を通過した場合に、承認される。
【００４５】
第一の検証は、識別サーバー２０７の検証テーブル２０９を介して行われる。
この検証テーブル２０９が、一つの識別子に関連づけるのは、例えば、ＩＰアドレスや、その識別子から発せられた識別申請に応答すべきか否かを示す値などである。
識別子を求めることを許可することは、識別サーバー２０７と（例えばパス・ワードや秘密鍵などの）そのような求めをするサーバーとの間の配分に基づいて行ってもよいし、同様に、許可を、双方向または一方通行の認証、さらには電子署名を有効なものにするために用いられる暗号計算の結果に従属するものとして行ってもよい（ＰＫＩタイプ技術、Ｐｕｂｌｉｃ  Ｋｅｙ  Ｉｎｆｒａｓｔｒｕｃｔｕｒｅ及び証明書Ｘ５０９）。
初期設定により、識別子が、検証テーブル２０９にない場合には、識別申請に対する応答はない。
識別子が検証テーブル２０９にある場合には、識別子に関連づけられた許可を得る。
【００４６】
第二の検証については、事業者が、自分の接続を行う際に、自分の加入者に割り当てるアドレスを知っているのは明らかである。
【００４７】
プライベートネットワーク２０３中でＩＰプロトコールを使う一環として、接続経路２０５による接続でプライベートネットワーク２０３の事業者に割り当てられたアドレスの帯域により、このような検証を容易に行うことができる。
更に、クライアント端末２０１のユーザーが、掲示サーバー２０６に接続する時点で、プライベートネットワーク２０３の事業者が、クライアント端末２０１にＩＰアドレスを割り当てる。
識別サーバー２０７が識別申請を受信した時点で、事業者は、クライアント端末２０１のユーザーを、常用的に識別できる状態になっている。
事実、識別申請を受信する時点では、クライアント端末２０１のユーザーは、自分の選択を掲示サーバー２０６が確認したということを常に受信しているとは限らない。
そのため、クライアント端末２０１は、パブリックネットワーク２０４に常時接続され、確認を待っている。
それゆえ、識別申請リクエスト３００のユーザー識別欄３０２のＩＰアドレスが、常にそのユーザーに割り当てられる。
しかしながら、このＩＰアドレスは、そのクライアント端末２０１のユーザーが、パブリックネットワーク２０４から接続を切るとほとんどすぐに、他のもう一人のユーザーに割り当てられることになる。
それゆえに、識別子は恒久的で実際的なものではない。
そういうわけで、その時点では、プライベートネットワーク２０３の事業者、ひいては識別サーバー２０７は、ＩＰアドレスが割り当てられた人を常用的に識別できる。
実際、識別サーバー２０７は、少なくともプライベートネットワーク２０３を管理する事業者の許可を託されることによって、プライベートネットワーク２０３の設備にアクセスすることができる。
識別サーバー２０７は、特に、ＩＰアドレスを、パブリックネットワーク２０４を介して接続を確立したいと思っているプライベートネットワーク２０３の加入者に割り当てることを担当している設備にアクセスすることができる。
そのような設備は、識別できない端末にはＩＰアドレスを付与しない。
そのような設備の例を挙げると、ＨＬＲ（Ｈｏｍｅ  Ｌｏｃａｔｉｏｎ  Ｒｅｇｉｓｔｅｒ）、ＶＬＲ（Ｖｉｓｉｔｏｒ  Ｌｏｃａｔｉｏｎ  Ｒｅｇｉｓｔｅｒ）や、ＧＧＳＮ（Ｇａｔｅｗａｙ  ＧＰＲＳ  Ｓｕｐｐｏｒｔ  Ｎｏｄｅ）がある。
【００４８】
プライベートネットワーク２０３の設備にアクセスできる識別サーバー２０７は、識別申請に応えて、恒久的常用識別子を供給することができる。
そのような恒久的常用識別子は、例えば、ＭＳＩＳＤＮタイプの電話番号、社会保障番号、身分証明書番号や電子身分証明書を保存するための代わりのｕｒｌ（例えばタイプＸ５０９）、あるいは恒久的な期間を通じて民法上の人に割り当てることができるということを、プライベートネットワーク２０３の事業者が約束しているその他一切の識別子である。
【００４９】
ここで、「恒久的」というのは、デジタルコンテンツに付属する権利の持続期間に匹敵する期間であり、且つ／または、そのデジタルコンテンツの存続期間に匹敵する期間である。
恒久的期間は、年単位、できれば数十年単位が望ましい。
この変形例においては、恒久的常用識別子には日付が付されている。
それゆえ、この変形例においては、恒久的常用識別子は、識別子と、日付または一つしかない続き番号及び識別子に関連してユーザーを時間的に識別することのできるその他一切の情報の連鎖である。
それにより可能となるのは、特に、ＭＳＩＳＤＮ番号の再割り当てである。
この変形例においても、ＩＰＶ４型のＩＰアドレスに基づいて識別子を用いることが可能になるが、その場合には、非常に長期の期間についての大量のデータを保存しなければならない。
実際、それぞれのＭＳＩＳＤＮ番号に加えて、加入者全てのＩＰセッション全てを保存しなけれならなくなる。
そのことにより、恒久的常用識別子を通して、人を識別するのが資源の面で高くつくことになりかねない。
【００５０】
恒久的常用識別子のもう一つ他の変形例においては、ＩＰＶ６アドレスを（社会保障番号に倣って）一人の加入者に恒久的に割り当てることができる。
【００５１】
もう一つ他の変形例においては、この恒久的常用識別子は、ＭＳＩＳＤＮタイプの番号と、プライベートネットワーク２０３の事業者が関連づけたパラメーター秘密暗号化方法を用いて暗号化した結果のものである。
これにより、時間が経つにつれて変動可能な恒久的常用識別子を生成する方法を用いるのが可能になる。
それにより、掲示サーバー２０６は、例えばＭＳＩＳＤＮタイプの識別子についての統計を行うことができなくなる。
【００５２】
許可された識別申請への応答は、掲示サーバー２０６に宛てたメッセージ４００である。
その場合、メッセージ４００は、少なくとも恒久的常用識別子欄４０１と掲示サーバー２０６のアドレスを有する宛先欄４０２とを有している。
可能な選択肢として、メッセージ４００に、ユーザー識別欄３０２と同じユーザー識別欄４０３がある。
やりとりされるデータに高水準の信頼性をもたらすように、掲示サーバー２０６と識別サーバー２０７との間に暗号化技術と暗号化の取り決めを確立し、この応答を認証し、不備がないように、そして秘密が守られるように保護することができる。
【００５３】
恒久的常用識別子を入手する第二の変形例においては、識別子は、実際、クライアント端末２０１を掲示サーバー２０６に接続するとすぐに伝達される。
実際、クライアント端末２０１の接続は、プライベートネットワーク２０３を介して行われる。
【００５４】
それゆえ、プライベートネットワーク２０３の事業者は、接続に際し、クライアント端末２０１が発信するリクエストを、事前に処理するために傍受する機能を有する。
特に、プライベートネットワーク２０３の設備は、クライアント端末２０１が発信したスレッドを、スレッドの宛先のアドレスに応じて処理することができる。
このアドレスが、検証テーブル２０９中にある場合には、プライベートネットワーク２０３は、クライアント端末２０１のユーザーの恒久的常用識別子が含まれるように、そのスレッドを修正する。
それゆえ、掲示サーバー２０６は、ユーザーの恒久的常用識別子を承知している。
もう一つ他の変形例においては、この恒久的常用識別子を、そのリクエストの出所を認証できる電子署名技術に結合させることにより、掲示サーバー２０６で受信するとすぐに、使用された識別子の有効性を証明することができる。
また、もう一つ他の変形例においては、この恒久的常用識別子を、それが掲示サーバー２０６に向かって伝送されている際に秘密が守られるように保護してもよい。
手順１０３から１０４に移り、電子透かしを埋め込む情報を、パブリックネットワーク２０４に接続された電子透かしを埋め込む刻印サーバー２１０に伝送する。
この伝送は、電子透かしの埋め込みリクエストを介して行われる。
図５が示すのは、掲示サーバー２０６が生成したそのようなリクエストである。
電子透かし埋め込みリクエスト５００は、少なくとも以下のようものを含む。
【００５５】
・電子透かしを埋め込む刻印サーバー２１０のアドレスの付いた宛先欄５０１：
そのアドレスは、電子透かしを埋め込む刻印サーバー２１０のアドレスを保存する刻印サーバーアドレス保存メモリー２１１を介して掲示サーバー２０６に知られている。
刻印サーバーアドレス保存メモリー２１１は、識別サーバーアドレス保存メモリー２０８と対をなすものであるが、電子透かしを埋め込む刻印サーバー２１０のためのものである。
識別サーバー２０７のアドレスと同様に、電子透かしを埋め込む刻印サーバー２１０のアドレスを、ユーザーのアドレスの帯域に関連づけてもよい。
【００５６】
・デジタルコンテンツ識別欄５０２：
デジタルコンテンツ識別欄５０２には、手順１０２に際して選択されたデジタルコンテンツの識別子がついているため、この識別子は、掲示サーバー２０６に知られている。
【００５７】
・手順１０２で選択されたデジタルコンテンツを供給することのできるコンテンツサーバーアドレス欄５０３：
掲示サーバー２０６には、デジタルコンテンツの各識別子にコンテンツ供給者のコンテンツサーバー２１３のアドレスを結合させる結合テーブル２１２があり、この結合テーブル２１２が全て記入されているのは、掲示サーバー２０６を管理するサービス供与者と、少なくともそのコンテンツサーバー２１３を管理するコンテンツ供給者との間に取り決めがあるおかげである。
その目的は、各デジタルコンテンツにコンテンツサーバーのアドレスを結合させることができるようにすることである。
掲示サーバー２０６とコンテンツサーバー２１３の間のやりとりには、暗号化手段を活用し、それにより、当事者間相互の認証とやりとりの秘密が守られ、不備がないように確実に行われる。
【００５８】
・配給アドレス欄５０４：
配給アドレスは、手順１０１か１０２のいずれかに際し、クライアント端末２０１のユーザーが供給したものである。
そのような配給アドレスは、例えば、ＩＰアドレス（後者の場合にはこのＩＰアドレスはユーザー識別欄３０２のアドレスであってよい）、配給がオン・ラインで行われる場合には、（ＭＳＩＳＤＮ）電話番号、あるいは更に、例えばメール・アドレス、その配給がオフラインで行われる場合には郵便で配達する住所である。
【００５９】
・識別子記入欄５０５：
識別子記入欄５０５は、手順１０３で入手した恒久的常用識別子を有している。
【００６０】
・情報欄５０６：
場合によっては、日付、そのデジタルコンテンツについて取得した権利の有効期間、そのデジタルコンテンツの著者の身元、掲示サーバー２０６を管理するサービス供与者の識別子、取得した権利の記載（例えば使用回数、配給許可など）等の、他にも電子透かしの埋め込み情報を示す情報欄５０６を有する。
【００６１】
生成されるとすぐに、メッセージである電子透かし埋め込みリクエスト５００は、電子透かしを埋め込む刻印サーバー２１０に向かって発信される。
すると、手順１０５に移り、手順１０２で選択したデジタルコンテンツに、電子透かしが埋め込まれる。
【００６２】
手順１０５では、刻印サーバー２１０で用いられる情報は、デジタルコンテンツ識別欄５０２とコンテンツサーバーアドレス欄５０３であり、それにより、本来の意味でのデジタルコンテンツを入手する。
それゆえ、電子透かしを埋め込む刻印サーバー２１０は、コンテンツサーバー２１３に、デジタルコンテンツを入手するためのリクエストを送信する。
このデジタルコンテンツは、デジタルコンテンツ識別欄５０２により識別されたものである。
一つの変形例においては、メッセージとしての電子透かし埋め込みリクエスト５００には、掲示サーバー２０６の識別子も有している
それにより、デジタルコンテンツ入手要請が、確かに送信を許可された資格者から出たものであることをコンテンツサーバー２１３により検証できるようにしている。
この変形例においては、掲示サーバー２０６のこの識別子もまた電子透かしを埋め込む刻印サーバー２１０が、コンテンツサーバー２１３に伝送するものである。
この検証については、コンテンツサーバー２１３もまた、電子透かしを埋め込む刻印サーバー２０７を識別するようにしてもよい。
【００６３】
この識別は、電子透かしを埋め込む刻印サーバー２１０が、デジタルコンテンツを入手しようとする際のリクエストの応答アドレスにより単純に行うか、あるいは、本発明の更に進んだ暗号化技術を、非制限的に用いることで行われる。
コンテンツサーバー２１３が応答アドレスを知っていて、リクエストにアクセスするか、あるいは、知らないためリクエストに応え、デジタルコンテンツを送らないということになる。
この認識は、例えば、コンテンツサーバー２１３の中の識別メモリーによって具体化される。
その場合、この識別メモリーによって、その時にコンテンツサーバー２１３に知られている識別子のリストを記録することができる。
デジタルコンテンツを入手したいというそのリクエストが有効な場合には、コンテンツサーバー２１３はデジタルコンテンツ識別欄５０２によって識別されたデジタルコンテンツを、電子透かしを埋め込む刻印サーバー２１０に向けて送信する。
この場合、電子透かしを埋め込む刻印サーバー２１０によって入手されたデジタルコンテンツを示している。
【００６４】
手順１０５に続いて、電子透かしを埋め込む刻印サーバー２１０は、秘密鍵付きの電子透かしを埋め込むアルゴリズムを活用し、秘密鍵は電子透かしを埋め込む刻印サーバー２１０のメモリー２１４中に記録される。
秘密鍵付きのアルゴリズムが望ましいのは、このタイプのアルゴリズムは現時点で公開鍵付きのアルゴリズムよりもずっと堅牢であるためである。
将来への傾向として、両方が均衡、あるいは逆転する可能性もあるが、その場合には、公開鍵付きアルゴリズムがもっと適切なものとなる可能性もある。
【００６５】
入手したデジタルコンテンツについての電子透かし入りの情報は、識別子記入欄５０５と情報欄５０６の中にあるものである。
電子透かしを埋め込んだ結果、電子透かしを埋め込んだデジタルコンテンツが、電子透かしを埋め込んだデジタルコンテンツを伝送する手順１０６に際し、配給アドレス欄５０４中のアドレスに送信されることである。
【００６６】
配給アドレス欄５０４中のアドレスは、クライアント端末２０１のＩＰアドレスでもよいが、それはつまり、先立つ手順、特に手順１０１と手順１０２に際して付いていたアドレスと同じことである。
配給アドレス欄５０４中のアドレスは、掲示サーバー２０６のＩＰアドレスでもよいが、その場合には、掲示サーバー２０６が、入手して電子透かしを埋め込んだデジタルコンテンツの配給を担当する。
配給アドレス欄５０４のアドレスは、Ｅメールアドレスでもよい。
また、配給アドレス欄５０４のアドレスは、加入者のＭＳＩＳＤＮ番号でも、あるいはデジタルコンテンツの買い手である加入者の選択により、他のどのような電話番号でもよい。
その場合には、デジタルコンテンツの配給は買い手を電話で呼び出し、音響放送またはダウンロードする。
【００６７】
配給アドレス欄５０４中のアドレスは、郵便配達の住所でもよく、その場合には、入手して電子透かしを埋め込んだデジタルコンテンツは媒体、フレキシブルディスク、ＣＤ、取り外し可能なディスクに記録し、その媒体を郵便小包にして郵便配達の住所に送る。
【００６８】
そういうわけで、本発明による方法は幾つもの活用態様が可能である。
そのような態様の中でも、非接続モードでボレーと呼ばれる、直接的にデータをコピーする態様が格別である。
非接続モードというのは、クライアント端末２０１のユーザーが選んだデジタルコンテンツを受け取るのは、そのユーザーがそのデジタルコンテンツを選ぶのに使ったチャンネルとは別のチャンネルを通してだということである。
そのような非接続モードでは、電子透かしを埋め込んだデジタルコンテンツをクライアント端末２０１のユーザーが受信する方法は、典型的には、クライアント端末２０１の拡張ポートのいずれか一つ（赤外線ポート、ブルートゥース、直列結合ポート）を使用できる、またはできないダウンロード技術、Ｅメール、郵便を用いる。
ボレーモードについては、電子透かしを埋め込んだデジタルコンテンツの伝送を、あたかもその掲示サイトもまたダウンロードサイトであるかのようにして行う。
この場合には、デジタルコンテンツに電子透かしを入れて、つぎにクライアント端末２０１のユーザーに伝送するか、あるいは、それがクライアント端末２０１のユーザーに伝送されるに従って電子透かしを入れていく。
【００６９】
本説明においては、サーバーを管理する機関は全て異なっている。
しかしながら、様々な変形例が検討可能である。
そういうわけで、一つの変形例においては、電子透かしを埋め込む刻印サーバーを管理するのはプライベートなネットワークを管理する事業者である。
もう一つ他の変形例においては、電子透かしを埋め込む刻印サーバーを管理するのはデジタルコンテンツの供給者である。
もう一つ他の変形例においては、掲示サーバーと電子透かしを埋め込む刻印サーバーを管理するのはデジタルコンテンツの供給者である。
最後に更にもう一つ他の変形例においては、コンテンツが端末のユーザーに向かって確実に配達されるようにするのは、電子透かしを埋め込む刻印サーバーである。
【００７０】
このような変形例の数々により、本発明の実施を単純に行うことができるが、それは一つの機関が複数の機能、つまり極端な場合には、掲示、電子透かし入れ、そしてデジタルコンテンツの供給を兼任する場合には、そのように兼任された機能の全てをただ一つの同じサーバーに移植することができ、それにより、サーバー間の通信を大幅に簡便化することができる。これは、通信が、ただ一つのサーバーの内部で行えるようになるためである。
よって、性能を大幅に改善することができ、検証の手順を大幅に簡便化できる。
【００７１】
興味深い変形例は、プライベートネットワークを管理する事業者は、電子透かしを埋め込む刻印サーバーも管理するというものである。
この事業者は、実際、その場合には、第三者に頼らずに、デジタルコンテンツを保護するための完全な解決策を提案することができる。
興味深い変形例は、ユーザーが掲示サーバーに音声型の通信（電話呼出し）経由でアクセスし、そしてコンテンツの広告を見て回るのを、拡張ＤＴＭＦ周波数を用いて水先案内することができるというものである。
【００７２】
本発明の解決策は、どのようなタイプのデジタルコンテンツにも応用可能である。
また、電子透かしを埋め込むアルゴリズムも、どのようなタイプのものも使うことが可能であり、なおかつ、選んだ配給方式に支障を来さない。
【図面の簡単な説明】
【００７３】
【図１】本発明の方法の手順を示す図である。
【図２】本発明の方法が活用されるネットワークの構成を示す図である。
【図３】識別要請の記入欄を示す図である。
【図４】識別要請に対する応答の記入欄を示す図である。
【図５】電子透かしを埋め込むメッセージの記入欄を示す図である。
【符号の説明】
【００７４】
２０１  クライアント端末
２０２  ヘルツ結合
２０３  プライベートネットワーク
２０４  パブリックネットワーク
２０５  接続経路
２０６  掲示サーバー
２０７  識別サーバー
２０８  識別サーバーアドレス保存メモリー
２０９  検証テーブル
２１０  刻印サーバー
２１１  刻印サーバーアドレス保存メモリー
２１２  結合テーブル
２１３  コンテンツサーバー
２１４  メモリー
３００  識別申請リクエスト
３０１  宛先欄
３０２  ユーザー識別欄
３０３  任意選択欄
３０４  発信欄
４００  メッセージ
４０１  恒久的常用識別子欄
４０２  宛先欄
４０３  ユーザー識別欄
５００  電子透かし埋め込みリクエスト
５０１  宛先欄
５０２  デジタルコンテンツ識別欄
５０３  コンテンツサーバーアドレス欄
５０４  配給アドレス欄
５０５  識別子記入欄
５０６  情報欄
【図１】
2005057769.tif 000003
【図２】
2005057769.tif 000004
【図３】
2005057769.tif 000005
【図４】
2005057769.tif 000006
【図５】
2005057769.tif 000007